(57)【要約】【課題】遊技興趣を向上させることのできる遊技機を提供する。【解決手段】パチンコ遊技機は、飾り図柄などの可変表示を行い、当該飾り図柄の可変表示中に背景画像を表示する。そして、パチンコ遊技機は、可変表示中の飾り図柄を透過させ、当該透過させた飾り図柄から、可変表示中に表示している背景画像とは異なる特別画像の一部を視認可能とする所定演出を実行可能である。このような構成により、演出効果を高め遊技興趣を向上させる。【選択図】図１３
2017148380.tif 000002
【特許請求の範囲】
【請求項１】
識別情報の可変表示を行う可変表示手段と、
識別情報の可変表示中に背景画像を表示する背景画像表示手段と、
可変表示中の識別情報を透過させ、前記透過させた識別情報から可変表示中に表示している前記背景画像とは異なる特別画像の一部を視認可能とする所定演出を実行可能な所定演出実行手段と、
を備えることを特徴とする遊技機。
【発明の詳細な説明】
【技術分野】
【０００１】
本発明は、パチンコ遊技機等の遊技機に関する。
【背景技術】
【０００２】
遊技機として、遊技球などの遊技媒体を発射装置によって遊技領域に発射し、遊技領域に設けられている入賞口などの入賞領域に遊技媒体が入賞して始動条件が成立すると、識別情報（表示図柄ともいう）を可変表示装置にて変動可能に表示（可変表示）し、その表示結果により所定の遊技価値を付与するか否かを決定する、いわゆる可変表示ゲームによって遊技興趣を高めたパチンコ遊技機がある。こうしたパチンコ遊技機では、可変表示ゲームにおける表示図柄の可変表示が完全に停止した際の表示結果が特定表示結果となったときに、遊技者にとって有利な有利状態（大当り遊技状態）となる。こうしたパチンコ遊技機では、可変表示装置に表示結果が導出表示される前に、表示結果が特定表示結果となることを遊技者に期待させる様々な種類の演出が実行される。
【０００３】
このような遊技機として、例えば、可変表示結果が特定表示結果となることを遊技者に期待させる演出として、識別情報を透過表示することで当該透過部分から演出を視認可能とするものがある（例えば特許文献１）。
【先行技術文献】
【特許文献】
【０００４】
【特許文献１】特開平１０−３１４３９６号公報
【発明の概要】
【発明が解決しようとする課題】
【０００５】
しかしながら、上記特許文献１に記載の遊技機では、識別情報の可変表示が、実行中の演出の妨げとなることを防止するものであり、識別情報の内部と外部の領域で同一の演出を実行するため、演出効果に乏しく、遊技興趣を向上させるという観点からすると未だ十分ではなかった。
【０００６】
本発明は、上記実状に鑑みてなされたものであり、遊技興趣を向上させることのできる遊技機の提供を目的とする。
【課題を解決するための手段】
【０００７】
（１）上記目的を達成するため、本発明に係る遊技機は、
識別情報の可変表示を行う可変表示手段（例えば飾り図柄の可変表示を行う演出制御用ＣＰＵ１２０など）と、
識別情報の可変表示中に背景画像を表示する背景画像表示手段（例えば画像表示装置５の画面上に背景画像を表示する演出制御用ＣＰＵ１２０など）と、
可変表示中の識別情報を透過させ、前記透過させた識別情報から可変表示中に表示している前記背景画像とは異なる特別画像の一部を視認可能とする所定演出を実行可能な所定演出実行手段（例えばステップＳ８０７の処理を実行する演出制御用ＣＰＵ１２０など）と、
を備えることを特徴とする。
【０００８】
このような構成によれば、演出効果を高め遊技興趣を向上させることができる。
【０００９】
（２）上記（１）の遊技機において、
前記所定演出実行手段は、前記所定演出として、可変表示の態様と識別情報の種類に応じて、前記特別画像の一部を視認可能な領域を変化させる（例えば飾り図柄５ｃの表示位置や種類（形状）に応じて視認可能な特別画像の領域が変化するなど）、
ようにしてもよい。
【００１０】
このような構成によれば、可変表示態様と識別情報の種類に応じて特別画像の一部を視認可能な領域が変化するため、遊技興趣を向上させることができる。
【００１１】
（３）上記（１）または（２）の遊技機において、
遊技者にとって有利な有利状態に制御可能な有利状態制御手段（例えば大当り遊技状態に制御するＣＰＵ１０３など）をさらに備え、
前記透過させた識別情報から視認可能な特別画像の種類に応じて、前記有利状態に制御される割合が異なる（例えば所定演出が実行された場合に、演出Ａよりも演出Ｂの方が、演出Ｂよりも演出Ｃの方が、大当りとなる可能性が（大当り信頼度が）高くなるなど）、
ようにしてもよい。
【００１２】
このような構成によれば、視認可能となる特別画像の種類に対する遊技者の注目を集めることができ、遊技興趣を向上させることができる。
【００１３】
（４）上記（１）〜（３）のいずれかの遊技機において、
前記所定演出実行手段は、前記特別画像の一部として動画像の一部を前記透過させた識別情報から視認可能とする（例えば変動中の飾り図柄５ｃ内から動画像である特別画像を視認可能とするなど）、
ようにしてもよい。
【００１４】
このような構成によれば、識別情報の可変表示に加え、透過させた識別情報から視認可能な特別画像にも動きが生じるため、遊技興趣を向上させることができる。
【００１５】
（５）上記（１）〜（４）のいずれかの遊技機において、
前記所定演出実行手段は、リーチ態様において最終可変表示中の識別情報を透過させ、前記最終可変表示中の識別情報以外の、前記リーチ態様を構成する識別情報を非透過で表示する（例えば所定演出として、リーチを構成する飾り図柄（例えば飾り図柄５ｌ、５ｒ）以外の変動中の飾り図柄（例えば飾り図柄５ｃ）を透過表示し、飾り図柄５ｌおよび５ｒは非透過のまま表示するなど）、
ようにしてもよい。
【００１６】
このような構成によれば、リーチ態様において最終可変表示中の識別情報を透過させることで遊技者に所定演出を認識しやすくすることができるとともに、注目すべき部分を明確にすることができる。
【００１７】
（６）上記（１）〜（５）のいずれかの遊技機において、
前記所定演出実行手段は、
リーチ態様において最終可変表示中の識別情報を透過させ、
前記最終可変表示中の識別情報以外の、前記リーチ態様を構成する識別情報を第１の大きさで表示し、
前記最終可変表示中の識別情報を前記第１の大きさよりも大きな第２の大きさで表示する（例えば所定演出として、リーチを構成する飾り図柄（例えば飾り図柄５ｌ、５ｒ）以外の変動中の飾り図柄（例えば飾り図柄５ｃ）を透過表示するとともに、リーチを構成する飾り図柄５ｌおよび５ｒよりも拡大して表示するなど）、
ようにしてもよい。
【００１８】
このような構成によれば、リーチ態様において最終可変表示中の識別情報を、第１の大きさよりも大きく表示するため、特別画像を視認しやすくすることができる。
【００１９】
（７）上記（１）〜（６）のいずれかの遊技機において、
遊技者にとって有利な有利状態に制御可能な有利状態制御手段（例えば大当り遊技状態に制御するＣＰＵ１０３など）をさらに備え、
前記所定演出実行手段は、
リーチ態様において最終可変表示中の識別情報を透過させ（例えば所定演出として、リーチを構成する飾り図柄（例えば飾り図柄５ｌ、５ｒ）以外の変動中の飾り図柄（例えば飾り図柄５ｃ）を透過表示するなど）、
前記リーチ態様における所定のタイミングにおいて、前記透過させた識別情報から前記背景画像および前記特別画像とは異なる特殊画像の一部を視認可能とすることで、前記有利状態に制御される可能性を示唆する示唆演出をさらに実行可能である（例えば所定演出の終了時に、スーパーリーチに発展する可能性などを、特殊画像を表示することにより示唆する示唆Ｂの示唆演出を実行するなど）、
ようにしてもよい。
【００２０】
このような構成によれば、演出効果をさらに高めることができ遊技興趣を向上させることができる。
【図面の簡単な説明】
【００２１】
【図１】一実施形態におけるパチンコ遊技機の正面図である。
【図２】パチンコ遊技機に搭載された各種の制御基板などを示す構成図である。
【図３】遊技制御プロセス処理の一例を示すフローチャートである。
【図４】各種コマンドの設定例を示す図である。
【図５】一実施形態における変動パターンを示す説明図である。
【図６】変動パターンの決定例を示す説明図である。
【図７】演出制御プロセス処理の一例を示すフローチャートである。
【図８】可変表示開始設定処理の一例を示すフローチャートである。
【図９】所定演出実行設定処理の一例を示すフローチャートである。
【図１０】所定演出実行決定テーブルなどの構成例を示す図である。
【図１１】所定演出の実行タイミングなどを示すタイミングチャートである。
【図１２】可変表示中演出処理の一例を示すフローチャートである。
【図１３】所定演出が実行される場合の演出動作例を示す図である。
【図１４】所定演出が実行される場合の演出動作例を示す図である。
【図１５】擬似連変動における所定演出の実行タイミングなどを示すタイミングチャートである。
【図１６】所定演出が実行される場合の演出動作例を示す図である。
【発明を実施するための形態】
【００２２】
以下、図面を参照しつつ、本発明の一実施形態を詳細に説明する。図１は、本実施形態におけるパチンコ遊技機の正面図であり、主要部材の配置レイアウトを示す。パチンコ遊技機１は、大別して、遊技盤面を構成する遊技盤（ゲージ盤）２と、遊技盤２を支持固定する遊技機用枠（台枠）３とから構成されている。遊技盤２には、ガイドレールによって囲まれた、略円形状の遊技領域が形成されている。この遊技領域には、遊技球（遊技媒体）が、所定の打球発射装置から発射されて打ち込まれる。
【００２３】
第１特別図柄表示装置４Ａ、第２特別図柄表示装置４Ｂ、画像表示装置５の画面上などでは、特別図柄や飾り図柄の可変表示が行われる。これらの可変表示は、普通入賞球装置６Ａに形成された第１始動入賞口を遊技球が通過（進入）したことによる第１始動入賞の発生に基づいて、あるいは、普通可変入賞球装置６Ｂに形成された第２始動入賞口を遊技球が通過（進入）したことによる第２始動入賞の発生に基づいて、実行可能となる。第１特別図柄表示装置４Ａと第２特別図柄表示装置４Ｂはそれぞれ、例えば７セグメントやドットマトリクスのＬＥＤ（発光ダイオード）等から構成され、可変表示ゲームの一例となる特図ゲームにおいて、識別情報である特別図柄（「特図」ともいう）が、変動可能に表示（可変表示）される。画像表示装置５は、例えばＬＣＤ（液晶表示装置）等から構成され、各種演出画像を表示する表示領域を形成する。画像表示装置５の画面上では、特図ゲームにおける第１特別図柄表示装置４Ａによる特別図柄（「第１特図」ともいう）の可変表示や第２特別図柄表示装置４Ｂによる特別図柄（「第２特図」ともいう）の可変表示のそれぞれに対応して、例えば３つといった複数の可変表示部となる飾り図柄表示エリアにて、識別情報である飾り図柄が可変表示される。この飾り図柄の可変表示も、可変表示ゲームに含まれる。
【００２４】
一例として、画像表示装置５の画面上には、「左」、「中」、「右」の飾り図柄表示エリア５Ｌ、５Ｃ、５Ｒが配置されている。そして、特図ゲームにおいて第１特別図柄表示装置４Ａにおける第１特図の変動と第２特別図柄表示装置４Ｂにおける第２特図の変動のうち、いずれかが開始されることに対応して、「左」、「中」、「右」の各飾り図柄表示エリア５Ｌ、５Ｃ、５Ｒにおいて飾り図柄５ｌ、５ｃ、５ｒの変動（例えば上下方向のスクロール表示）が開始される。その後、特図ゲームにおける可変表示の表示結果として確定特別図柄が停止表示されるときに、各飾り図柄表示エリア５Ｌ、５Ｃ、５Ｒにて、飾り図柄５ｌ、５ｃ、５ｒの可変表示の表示結果となる確定飾り図柄（最終停止図柄）５ｌ、５ｃ、５ｒが停止表示される。特別図柄や飾り図柄の可変表示における表示結果は、可変表示結果ともいう。特図ゲームにおける特別図柄の可変表示結果は、特図表示結果ともいう。このように、画像表示装置５の画面上では、第１特別図柄表示装置４Ａにおける第１特図を用いた特図ゲーム、または、第２特別図柄表示装置４Ｂにおける第２特図を用いた特図ゲームと同期して、各々が識別可能な複数種類の飾り図柄の可変表示を行い、可変表示結果となる確定飾り図柄を導出表示（単に「導出」ともいう）する。なお、例えば特別図柄や飾り図柄といった、各種の表示図柄を導出表示するとは、飾り図柄等の識別情報を停止表示して可変表示を終了させることである。なお、飾り図柄５ｌ、５ｃ、５ｒの変動は上下方向のスクロール表示に限らず、左右方向乃至斜め方向（例えば、遊技者から見て右上から左下方向）にスクロール表示してもよい。
【００２５】
画像表示装置５の画面上には、第１保留表示部５ＨＬと、第２保留表示部５ＨＲとが設けられている。第１保留表示部５ＨＬおよび第２保留表示部５ＨＲは、画像表示装置５において、未だ開始されていない可変表示に対応する保留表示を行うための表示部である。第１保留表示部５ＨＬは、第１特図保留記憶数を特定可能に表示する。第２保留表示部５ＨＲは、第２特図保留記憶数を特定可能に表示する特図ゲームに対応した可変表示の保留は、第１始動入賞や第２始動入賞の発生に基づいて行われる。すなわち、特図ゲームや飾り図柄の可変表示といった可変表示ゲームを実行するための始動条件（「実行条件」ともいう）は成立したが、先に成立した開始条件に基づく可変表示ゲームが実行中であることやパチンコ遊技機１が大当り遊技状態に制御されていることなどにより、可変表示ゲームの開始を許容する開始条件が成立していないときに、成立した始動条件に対応して未だ開始されていない可変表示の保留が行われる。第１始動入賞が発生したときに、第１特図を用いた特図ゲームを開始できなければ、第１特図保留記憶数が１加算（インクリメント）され、第１特図を用いた特図ゲームの実行が保留される。第２始動入賞が発生したときに、第２特図を用いた特図ゲームを開始できなければ、第２特図保留記憶数が１加算（インクリメント）され、第２特図を用いた特図ゲームの実行が保留される。これに対して、第１特図を用いた特図ゲームの実行が開始されるときには、第１特図保留記憶数が１減算（デクリメント）され、第２特図を用いた特図ゲームの実行が開始されるときには、第２特図保留記憶数が１減算（デクリメント）される。
【００２６】
パチンコ遊技機１には、例えば図２に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５なども搭載されている。
【００２７】
主基板１１は、メイン側の制御基板であり、パチンコ遊技機１における遊技の進行を制御するための各種回路が搭載されている。図２に示す主基板１１には、遊技制御用マイクロコンピュータ１００やスイッチ回路１１０、ソレノイド回路１１１などが搭載されている。スイッチ回路１１０は、遊技球検出用の各種スイッチからの検出信号を取り込んで遊技制御用マイクロコンピュータ１００に伝送する。ソレノイド回路１１１は、遊技制御用マイクロコンピュータ１００からのソレノイド駆動信号を、普通電動役物用のソレノイド８１や大入賞口扉用のソレノイド８２に伝送する。
【００２８】
演出制御基板１２は、主基板１１とは独立したサブ側の制御基板であり、中継基板１５を介して主基板１１から伝送された制御信号の受信に基づいて、画像表示装置５、スピーカ８Ｌ、８Ｒ及び遊技効果ランプ９や装飾用ＬＥＤといった演出用の電気部品による演出動作を制御するための各種回路が搭載されている。図２に示す演出制御基板１２には、演出制御用ＣＰＵ１２０やＲＯＭ１２１、ＲＡＭ１２２、表示制御部１２３、乱数回路１２４、Ｉ／Ｏ１２５などが搭載されている。音声制御基板１３は、演出制御基板１２とは別個に設けられた音声出力制御用の制御基板であり、演出制御基板１２からの指令や制御データなどに基づき、スピーカ８Ｌ、８Ｒから音声を出力させるための音声信号処理を実行する処理回路などが搭載されている。ランプ制御基板１４は、演出制御基板１２とは別個に設けられたランプ出力制御用の制御基板であり、演出制御基板１２からの指令や制御データなどに基づき、遊技効果ランプ９や装飾用ＬＥＤなどにおける点灯／消灯駆動を行うランプドライバ回路などが搭載されている。
【００２９】
図２に示すように、主基板１１には、ゲートスイッチ２１、始動口スイッチ（第１始動口スイッチ２２Ａおよび第２始動口スイッチ２２Ｂ）、カウントスイッチ２３といった、各種スイッチからの検出信号を伝送する配線が接続されている。また、主基板１１には、第１特別図柄表示装置４Ａ、第２特別図柄表示装置４Ｂ、普通図柄表示器２０などの表示制御を行うための指令信号を伝送する配線が接続されている。ゲートスイッチ２１は、通過ゲート４１を通過した遊技球（ゲート通過球）を検出する。ゲートスイッチ２１によるゲート通過球の検出に基づいて、普通図柄表示器２０による普通図柄の可変表示が実行可能となる。第１始動口スイッチ２２Ａは、第１始動入賞口を通過（進入）した遊技球を検出する。第２始動口スイッチ２３Ａは、第２始動入賞口を通過（進入）した遊技球を検出する。カウントスイッチ２３は、特別可変入賞球装置７に形成された大入賞口を通過（進入）した遊技球を検出する。第１始動入賞口や第２始動入賞口、大入賞口といった、各種の入賞口を通過した遊技球が検出された場合には、それぞれの入賞口に対応して予め個数が定められた賞球としての遊技球が払い出される。
【００３０】
主基板１１から演出制御基板１２に向けて伝送される制御信号は、中継基板１５によって中継される。中継基板１５を介して主基板１１から演出制御基板１２に対して伝送される制御コマンドは、例えば電気信号として送受信される演出制御コマンドである。演出制御コマンドには、例えば画像表示装置５における画像表示動作を制御するために用いられる表示制御コマンドや、スピーカ８Ｌ、８Ｒからの音声出力を制御するために用いられる音声制御コマンド、遊技効果ランプ９や装飾用ＬＥＤの点灯動作などを制御するために用いられるランプ制御コマンドが含まれている。これらの演出制御コマンドはいずれも、例えば２バイト構成であり、１バイト目はＭＯＤＥ（コマンドの分類）を示し、２バイト目はＥＸＴ（コマンドの種類）を表す。ＭＯＤＥデータの先頭ビット（ビット７）は必ず「１」となり、ＥＸＴデータの先頭ビットは「０」となるように、予め設定されていればよい。
【００３１】
主基板１１に搭載された遊技制御用マイクロコンピュータ１００は、例えば１チップのマイクロコンピュータであり、遊技制御用のプログラムや固定データ等を記憶するＲＯＭ１０１と、遊技制御用のワークエリアを提供するＲＡＭ１０２と、遊技制御用のプログラムを実行して制御動作を行うＣＰＵ１０３と、ＣＰＵ１０３とは独立して乱数値を示す数値データの更新を行う乱数回路１０４と、Ｉ／Ｏ（Input/Output port）１０５とを備えて構成される。一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。
【００３２】
演出制御基板１２に搭載された演出制御用ＣＰＵ１２０は、ＲＯＭ１２１から読み出した演出制御用のプログラムや固定データ等を用いて、演出用の電気部品による演出動作を制御するための処理を実行する。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。
【００３３】
演出制御基板１２に搭載された表示制御部１２３は、演出制御用ＣＰＵ１２０からの表示制御指令などに基づき、画像表示装置５における表示動作の制御内容を決定する。例えば、表示制御部１２３は、画像表示装置５の表示画面内に表示させる演出画像の切換タイミングを決定することなどにより、飾り図柄の可変表示や各種の演出表示を実行させるための制御を行う。
【００３４】
主基板１１に搭載された遊技制御用マイクロコンピュータ１００では、例えば乱数回路１０４やＲＡＭ１０２の所定領域に設けられた遊技用ランダムカウンタなどにより、遊技の進行を制御するために用いられる各種の乱数値を示す数値データが更新可能にカウント（生成）される。遊技の進行を制御するために用いられる乱数は、遊技用乱数ともいう。演出制御基板１２では、例えば乱数回路１２４やＲＡＭ１２２の所定領域に設けられた演出用ランダムカウンタなどにより、演出の実行を制御するために用いられる各種の乱数値を示す数値データが更新可能にカウント（生成）される。
【００３５】
パチンコ遊技機１においては、遊技球を用いた遊技が行われ、その遊技結果に基づいて所定の遊技価値が付与可能となる。遊技球を用いた遊技の一例として、パチンコ遊技機１における筐体前面の右下方に設置された打球操作ハンドルが遊技者によって所定操作（例えば回転操作）されたことに基づいて、遊技球が遊技領域に向けて発射される。遊技領域を流下した遊技球が、各種の入賞口を通過（進入）した場合に、賞球としての遊技球が払い出される。特別図柄や飾り図柄の可変表示結果が「大当り」となった場合には、大入賞口が開放されて遊技球が通過（進入）しやすい状態となることで、遊技者にとって有利な有利状態としての大当り遊技状態となる。
【００３６】
図３は、遊技制御プロセス処理の一例を示すフローチャートである。図３に示す遊技制御プロセス処理において、遊技制御用マイクロコンピュータ１００のＣＰＵ１０３は、まず、始動入賞が発生したか否かを判定する（ステップＳ１１）。始動入賞が発生したと判定された場合には（ステップＳ１１；Ｙｅｓ）、入賞時乱数の取得と判定を行う（ステップＳ１２）。入賞時乱数には、遊技用乱数のうちで、可変表示結果決定用の乱数値ＭＲ１と、大当り種別決定用の乱数値ＭＲ２と、変動パターン決定用の乱数値ＭＲ３とが含まれていればよい。ステップＳ１２における判定の結果には、「ハズレ時一般」と、「ハズレ時スーパーリーチ確定」と、「大当り」とが含まれていればよい。大当り決定用の乱数値ＭＲ１を用いて、可変表示結果が「大当り」に決定されること、すなわち、有利状態としての大当り遊技状態に制御されることが判定された場合には、「大当り」の判定結果となる。可変表示結果が「大当り」ではなく「ハズレ」に決定されること、すなわち、有利状態としての大当り遊技状態に制御されないことが判定された場合には、変動パターン決定用の乱数値ＭＲ３を用いて、保留記憶数にかかわらずスーパーリーチ変動パターンに決定されるか否かを判定する。そして、スーパーリーチ変動パターンに決定されると判定された場合には、「ハズレ時スーパーリーチ確定」の判定結果となるのに対し、スーパーリーチ変動パターンに決定されると判定されなかった場合には、「ハズレ時一般」の判定結果となる。例えば図６（Ｂ１）、図６（Ｂ２）に示すようなハズレ変動パターンの決定例では、第１特図保留記憶数や第２特図保留記憶数にかかわらず、同一判定値となる「２９５」〜「３００」の決定値が、変動パターンＰＡ２−２、ＰＡ２−３に割り当ていられている。このような設定では、乱数値ＭＲ３が「２９５」〜「３００」のいずれかである場合に、判定結果を「ハズレ時スーパーリーチ確定」とすればよい。
【００３７】
ステップＳ１２に続いて、始動入賞時コマンドとなる演出制御コマンドを送信する（ステップＳ１３）。始動入賞時コマンドには、始動口入賞指定コマンドと、保留記憶数通知コマンドと、入賞時判定結果コマンドとが含まれていればよい。始動口入賞指定コマンドは、第１始動入賞や第２始動入賞といった始動入賞の発生を特定可能に通知する演出制御コマンドである。保留記憶数通知コマンドは、第１特図保留記憶数や第２特図保留記憶数といった保留記憶数を特定可能に通知する演出制御コマンドである。入賞時判定結果コマンドは、ステップＳ１２における「ハズレ時一般」、「ハズレ時スーパーリーチ確定」、「大当り」といった判定結果を特定可能に通知する演出制御コマンドである。
【００３８】
図４（Ａ）は、始動口入賞指定コマンド（第１始動口入賞指定コマンドおよび第２始動口入賞指定コマンド）、保留記憶数通知コマンド（第１保留記憶数通知コマンドおよび第２保留記憶数通知コマンド）、入賞時判定結果コマンドの設定例を示している。この実施形態では、始動口入賞指定コマンドとして、第１始動口入賞指定コマンドとなるコマンドＢ１００Ｈと、第２始動口入賞指定コマンドとなるコマンドＢ２００Ｈとが、予め用意されている。なお、添字Ｈは１６進数であることを示している。また、保留記憶数通知コマンドとして、第１保留記憶数通知コマンドとなるコマンドＣ１ＸＸＨと、第２保留記憶数通知コマンドとなるコマンドＣ２ＸＸＨとが、予め用意されている。保留記憶数通知コマンドでは、特図保留記憶数に応じて、異なるＥＸＴデータ（例えば００Ｈ〜０４Ｈのいずれか）が設定される。さらに、入賞時判定結果コマンドとなるコマンドＣ４ＸＸＨが、予め用意されている。
【００３９】
図４（Ｂ）は、入賞時判定結果コマンドによる通知内容を例示している。入賞時判定コマンドのうち、コマンドＣ４００Ｈは、ステップＳ１２における入賞時判定が行われないように制限されていることを通知する。コマンドＣ４０１Ｈは、ステップＳ１２における判定結果が「大当り」であることを通知する。コマンドＣ４０２Ｈは、ステップＳ１２における判定結果が「ハズレ時スーパーリーチ確定」であることを通知する。コマンドＣ４０３Ｈは、ステップＳ１２における判定結果が「ハズレ時一般」であることを通知する。
【００４０】
ステップＳ１１にて始動入賞が発生していないと判定された場合や（ステップＳ１１；Ｎｏ）、ステップＳ１３によるコマンド送信が行われた後には、遊技プロセスフラグの値を判定する（ステップＳ２１）。遊技プロセスフラグは、例えばＲＡＭ１０２の所定領域（遊技制御フラグ設定部など）に設けられ、遊技制御の進行に応じて“０”〜“３”の値のいずれかが可変設定される。
【００４１】
ステップＳ２１にて遊技プロセスフラグの値が“０”であると判定された場合には（ステップＳ２１；“０”）、可変表示を開始可能であるか否かを判定する（ステップＳ１０１）。可変表示を開始可能であると判定された場合には（ステップＳ１０１；Ｙｅｓ）、可変表示結果を決定する（ステップＳ１０２）。ステップＳ１０２では、可変表示結果決定用の乱数値と可変表示結果決定テーブルとを用いて、可変表示結果を「ハズレ」とするか「大当り」とするかを所定割合で決定する。パチンコ遊技機１における遊技状態が確変状態であるときには、通常状態や時短状態であるときよりも高い割合で可変表示結果が「大当り」に決定されるように、可変表示結果決定テーブルにおける決定値が設定されていればよい。続いて、例えば大当りフラグといった、内部フラグなどの設定を行う（ステップＳ１０３）。次に、遊技プロセスフラグの値を“１”に更新してから（ステップＳ１０４）、遊技制御プロセス処理を終了する。
【００４２】
ステップＳ２１にて遊技プロセスフラグの値が“１”であると判定された場合には（ステップＳ２１；“１”）、変動パターンなどを決定する（ステップＳ１１１）。ステップＳ１１１では、各変動パターンの決定割合を、可変表示結果が「大当り」に決定されたか否かに応じて異ならせることにより、各変動パターンに対応して可変表示結果が「大当り」となる割合（大当り期待度）を異ならせることができる。
【００４３】
図５は、この実施形態における変動パターンの一例を示している。この実施形態では、可変表示結果（特図表示結果）が「ハズレ」となる場合のうち、飾り図柄の可変表示状態がリーチ状態にはならない「非リーチ」である場合とリーチ状態になる「リーチ」である場合のそれぞれに対応して、また、可変表示結果（特図表示結果）が「大当り」である場合などに対応して、複数の変動パターンが予め用意されている。
【００４４】
ここで、リーチ状態とは、画像表示装置５の画面上にて停止表示された飾り図柄が大当り組合せの一部を構成しているときに未だ停止表示されていない飾り図柄（「リーチ変動図柄」ともいう）については変動が継続している表示態様、あるいは、全部または一部の飾り図柄が大当り組合せの全部または一部を構成しながら同期して変動している表示態様のことである。可変表示中にリーチ状態となると、リーチ演出が実行されることがある。リーチ演出は、飾り図柄の変動速度を低下させたり、画像表示装置５の画面上に飾り図柄とは異なるキャラクタ画像を表示させたり、背景画像の表示態様を変化させたり、飾り図柄とは異なる動画像を再生表示させたり、飾り図柄の変動態様を変化させたりすることで、リーチ態様となる以前とは異なる演出動作を行う演出である。
【００４５】
また、飾り図柄の可変表示中には、リーチ演出とは異なり、飾り図柄の可変表示状態がリーチ状態となる可能性や、可変表示結果が「大当り」となる可能性を、飾り図柄の可変表示態様などにより遊技者に報知するための可変表示演出が実行されることがある。一例として、飾り図柄の可変表示中には「擬似連」の可変表示演出が実行可能であればよい。「擬似連」の可変表示演出では、特図ゲームの開始条件が１回成立したことに対応して、飾り図柄の可変表示が開始されてから可変表示結果となる確定飾り図柄が導出表示されるまでに、「左」、「中」、「右」の飾り図柄表示エリア５Ｌ、５Ｃ、５Ｒにおける全部にて飾り図柄を一旦仮停止表示させた後、全部の飾り図柄表示エリア５Ｌ、５Ｃ、５Ｒにて飾り図柄を再び変動（擬似連変動）させる演出表示を、所定回（例えば、最大３回まで）行うことができる。擬似連変動の回数は、飾り図柄の可変表示が開始されてから全部の飾り図柄が最初に一旦仮停止するまでの初回変動を除く、「左」、「中」、「右」の飾り図柄表示エリア５Ｌ、５Ｃ、５Ｒにおける全部にて飾り図柄が再変動する回数である。一例として、「擬似連」の可変表示演出では、「左」、「中」、「右」の飾り図柄表示エリア５Ｌ、５Ｃ、５Ｒにて、特殊組合せの擬似連チャンス目として予め定められた複数種類のハズレ組合せのいずれかとなる飾り図柄（仮停止図柄）５ｌ、５ｃ、５ｒが仮停止表示される。なお、仮停止表示では、飾り図柄が停留して表示される一方で、例えば揺れ変動表示を行うことや短時間の停留だけで直ちに飾り図柄５ｌ、５ｃ、５ｒを再変動させることなどによって、遊技者に表示されている飾り図柄が確定しない旨を報知すればよい。
【００４６】
図５に示す変動パターンのうち、可変表示内容が「非リーチ」である場合に対応した変動パターンは、非リーチ変動パターン（非リーチハズレ変動パターンともいう）と称される。可変表示内容が「リーチ」である場合に対応した変動パターンは、リーチ変動パターン（リーチハズレ変動パターンともいう）と称される。非リーチ変動パターンとリーチ変動パターンは、可変表示結果が「ハズレ」となる場合に対応したハズレ変動パターンに含まれる。可変表示結果が「大当り」である場合に対応した変動パターンは、大当り変動パターンと称される。大当り変動パターンやリーチ変動パターンには、ノーマルリーチにおけるリーチ演出が実行されるノーマルリーチ変動パターンと、スーパーリーチにおけるリーチ演出が実行されるスーパーリーチ変動パターンとがある。図５に示すような複数の変動パターンに対応して、特別図柄の可変表示時間である特図変動時間が予め定められている。したがって、ステップＳ１１１で決定された変動パターンによる可変表示が実行される場合には、特図変動時間に対応する可変表示期間において、特別図柄などの可変表示が行われた後に、特図表示結果などの可変表示結果が導出表示される。なお、擬似連変動を伴う変動パターン（擬似連変動パターン）としては、非リーチハズレ変動パターン（図５に示すＰＡ１−４）だけでなく、図示しない、リーチハズレ変動パターン、大当り変動パターン（ノーマル及びスーパーリーチ変動パターンを含む）なども用意されている。
【００４７】
図６（Ａ）は、大当り変動パターンの決定例を示している。可変表示結果を「大当り」として大当り遊技状態に制御すると決定された場合には、例えば図６（Ａ）に示すような決定値の設定に基づいて、大当り時の変動パターンが決定される。このときに、変動パターン決定用の乱数値ＭＲ３は、大当り変動パターン決定テーブルにおいて予め設定されている決定値と比較される。そして、図６（Ａ）に示す決定値の範囲のうちで、いずれの範囲に乱数値ＭＲ３が含まれるかの判定結果に応じて、使用パターンとなる変動パターンが決定される。図６（Ａ）に示す例では、変動パターンＰＡ３−１〜変動パターンＰＡ３−３のうちでいずれかの変動パターンが、大当り時の変動パターンとして決定される。
【００４８】
図６（Ｂ１）、図６（Ｂ２）は、ハズレ変動パターンの決定例を示している。時短制御が行われていない通常時には、例えば図６（Ｂ１）に示すような決定値の設定に基づいて、ハズレ時の変動パターンが決定される。これに対し、時短制御が行われている時短中には、例えば図６（Ｂ２）に示すような決定値の設定に基づいて、ハズレ時の変動パターンが決定される。このときに、変動パターン決定用の乱数値ＭＲ３は、ハズレ変動パターン決定テーブルにおいて予め設定されている決定値と比較される。通常時には、図６（Ｂ１）に示す決定値の範囲のうちで、いずれの範囲に乱数値ＭＲ３が含まれるかの判定結果に応じて、使用パターンとなる変動パターンが決定される。時短中には、図６（Ｂ２）に示す決定値の範囲のうちで、いずれの範囲に乱数値ＭＲ３が含まれるかの判定結果に応じて、使用パターンとなる変動パターンが決定される。時短中には、通常時よりも特図変動時間が短い変動パターンに決定される割合が高くなる。これにより、時短制御が行われる時短状態において、可変表示の可変表示時間として第１時間よりも短い第２時間に決定される割合は、時短制御が行われない通常状態などに比べて高くなる。なお、図６では示していないが、前記のように用意された擬似連変動パターンの各々についても、大当り変動パターン決定テーブルやハズレ変動パターン決定テーブル（通常時及び時短中）において、乱数値ＭＲ３と比較される決定値を予め設定することで、決定すればよい。
【００４９】
図３に戻り、ステップＳ１１１に続いて、可変表示開始時コマンドとなる演出制御コマンドを送信する（ステップＳ１１２）。可変表示開始時コマンドには、変動開始コマンドと、可変表示結果通知コマンドと、変動パターン指定コマンドとが含まれていればよい。ステップＳ１１２によるコマンド送信が行われた後には、遊技プロセスフラグを“２”に更新してから（ステップＳ１１３）、遊技制御プロセス処理を終了する。
【００５０】
ステップＳ２１にて遊技プロセスフラグの値が“２”であると判定された場合には（ステップＳ２１；“２”）、可変表示時間が経過したか否かを判定する（ステップＳ１２１）。可変表示時間が経過していないと判定された場合には（ステップＳ１２１；Ｎｏ）、特別図柄などを可変表示するための制御を行ってから（ステップＳ１２２）、遊技制御プロセス処理を終了する。
【００５１】
ステップＳ１２１にて可変表示時間が経過したと判定された場合には（ステップＳ１２１；Ｙｅｓ）、特別図柄などを停止表示するための制御を行う（ステップＳ１２３）。続いて、可変表示終了時コマンドを送信するとともに（ステップＳ１２４）、可変表示終了時における遊技状態の設定を行う（ステップＳ１２４Ａ）。ステップＳ１２４Ａでは、例えば可変表示の実行回数が予め定められた時短終了判定値に達したときのように、予め定められた時短終了条件が成立したときに、時短制御が行われる時短状態を終了して通常状態に制御するための設定が行われる。その後、可変表示結果が「大当り」であるか否かを判定し（ステップＳ１２５）、「大当り」である場合には（ステップＳ１２５；Ｙｅｓ）、遊技プロセスフラグの値を“３”に更新する一方（ステップＳ１２６）、「大当り」ではなく「ハズレ」である場合には（ステップＳ１２５；Ｎｏ）、遊技プロセスフラグの値を“０”に更新（初期化）してから（ステップＳ１２７）、遊技制御プロセス処理を終了する。
【００５２】
ステップＳ２１にて遊技プロセスフラグの値が“３”であると判定された場合には（ステップＳ２１；“３”）、大当り遊技状態が終了する大当り終了であるか否かを判定する（ステップＳ１３１）。大当り終了ではないと判定された場合には（ステップＳ１３１；Ｎｏ）、大当り遊技状態に制御される大当り時の制御を行ってから（ステップＳ１３２）、遊技制御プロセス処理を終了する。これに対し、ステップＳ１３１にて大当り終了であると判定された場合には（ステップＳ１３１；Ｙｅｓ）、大当り終了後における遊技状態の設定を行う（ステップＳ１３３）。ステップＳ１３３では、例えば大当り種別に応じて、時短制御が行われる時短状態を開始するための設定や、確変制御が行われる確変状態を開始するための設定などが行われる。ステップＳ１３３に続いて、遊技プロセスフラグの値を“０”に更新（初期化）してから（ステップＳ１３４）、遊技制御プロセス処理を終了する。
【００５３】
次に、演出制御基板１２における動作を説明する。演出制御基板１２では、電源基板等から電源電圧の供給を受けると、演出制御用ＣＰＵ１２０が起動して、所定の演出制御メイン処理を実行する。演出制御メイン処理では、初期化処理が実行されることなどにより、演出制御の初期設定が行われる。その後、予め定められた演出制御用割込み時間（例えば２ミリ秒）が経過して演出制御用のタイマ割込みが発生するごとに、コマンド解析処理、演出制御プロセス処理、演出用乱数更新処理などが実行される。演出制御用のタイマ割込みとは別に、コマンド受信用の割込みが発生したときには、主基板１１から伝送された演出制御コマンドとなる制御信号を取り込み、例えばＲＡＭ１２２の所定領域（演出制御バッファ設定部）に設けられた演出制御コマンド受信用バッファなどに、演出制御コマンドを格納する。例えば、コマンド解析処理において、始動入賞時コマンドを受信したと判定した場合、始動入賞時コマンドバッファに受信コマンドを格納する。始動入賞時コマンドとして、第１始動口入賞指定コマンドや第１特図保留記憶数指定コマンドを受信した場合、始動入賞時コマンド（第１始動口入賞指定コマンド、第１特図保留記憶数指定コマンド、図柄判定結果指定コマンド、変動パターン判定結果指定コマンド）を、ＲＡＭ１２２の所定領域に設けられた第１始動入賞時コマンドバッファに格納する。始動入賞時コマンドとして、第２始動口入賞指定コマンドや第２特図保留記憶数指定コマンドを受信した場合、始動入賞時コマンド（第２始動口入賞指定コマンド、第２特図保留記憶数指定コマンド、図柄判定結果指定コマンド、変動パターン判定結果指定コマンド）を、ＲＡＭ１２２の所定領域に設けられた第２始動入賞時コマンドバッファに格納する。
【００５４】
図７は、演出制御プロセス処理の一例を示すフローチャートである。図７に示す演出制御プロセス処理では、ＲＡＭ１２２の所定領域（演出制御フラグ設定部など）に記憶された演出プロセスフラグの値に応じて、演出制御用のコンピュータプログラムに予め記述された複数の処理から選択された処理を実行する。演出プロセスフラグの値に応じて実行される処理には、可変表示開始待ち処理（ステップＳ１７０）、可変表示開始設定処理（ステップＳ１７１）、可変表示中演出処理（ステップＳ１７２）、特図当り待ち処理（ステップＳ１７３）、アタッカー開放時演出処理（ステップＳ１７４）、エンディング演出処理（ステップＳ１７５）が含まれている。
【００５５】
図７に示すステップＳ１７０の可変表示開始待ち処理は、演出プロセスフラグの値が“０”のときに実行され、飾り図柄の可変表示を開始するか否かを判定する処理などが含まれている。ステップＳ１７１の可変表示開始設定処理は、演出プロセスフラグの値が“１”のときに実行され、飾り図柄の可変表示や他の各種演出動作を制御するための設定や決定を行う処理などが含まれている。ステップＳ１７２の可変表示中演出処理は、演出プロセスフラグの値が“２”のときに実行され、飾り図柄の可変表示中における各種の演出制御を行うための処理などが含まれている。ステップＳ１７３の特図当り待ち処理は、演出プロセスフラグの値が“３”のときに実行され、飾り図柄の可変表示結果となる確定飾り図柄（最終停止図柄）を導出表示したときに、大当り遊技状態に制御されるか否かを判定する処理などが含まれている。ステップＳ１７４のアタッカー開放時演出処理は、演出プロセスフラグの値が“４”のときに実行され、大当り遊技状態といった大入賞口が開放状態となる所定期間における演出を実行可能にする処理などが含まれている。ステップＳ１７５のエンディング演出処理は、演出プロセスフラグの値が“５”のときに実行され、大当り遊技状態の終了時における演出を実行可能にする処理などが含まれている。
【００５６】
図８は、図７のステップＳ１７１にて実行される可変表示開始設定処理の一例を示すフローチャートである。図８に示す可変表示開始設定処理において、演出制御用ＣＰＵ１２０は、まず、例えば、主基板１１から伝送された表示結果指定コマンド（表示結果指定コマンド格納領域に格納されているコマンド）などに基づいて、特図表示結果が「ハズレ」となるか否かを判定する（ステップＳ５５２）。特図表示結果が「ハズレ」となると判定した場合（ステップＳ５５２；Ｙｅｓ）、演出制御用ＣＰＵ１２０は、例えば、主基板１１から伝送された変動パターン指定コマンド（変動パターン指定コマンド格納領域に格納されているコマンド）により指定された変動パターンが、飾り図柄の可変表示態様をリーチ態様としない「非リーチ」の場合に対応した非リーチ変動パターン（ＰＡ１−１、ＰＡ１−２など）であるか否かを判定する（ステップＳ５５３）。
【００５７】
ステップＳ５５３にて非リーチ変動パターンであると判定した場合（ステップＳ５５３；Ｙｅｓ）、演出制御用ＣＰＵ１２０は、非リーチ組合せを構成する最終停止図柄となる確定飾り図柄の組合せを決定する（ステップＳ５５４）。演出制御用ＣＰＵ１２０は、例えば、乱数回路１２４またはＲＡＭ１２２の所定領域に設けられた演出用ランダムカウンタ等により更新される非リーチ組合せの飾り図柄決定用の乱数値を示す数値データを抽出し、ＲＯＭ１２１に予め記憶されて用意された非リーチ組合せの飾り図柄決定テーブルを参照することなどにより、確定飾り図柄（非リーチ組合せの飾り図柄）を決定する。
【００５８】
ステップＳ５５３の処理にて非リーチ変動パターンではないと判定した場合（ステップＳ５５３；Ｎｏ）、演出制御用ＣＰＵ１２０は、リーチ組合せを構成する最終停止図柄となる確定飾り図柄の組合せを決定する（ステップＳ５５５）。演出制御用ＣＰＵ１２０は、例えば、乱数回路１２４または演出用ランダムカウンタ等により更新されるリーチ組合せの飾り図柄決定用の乱数値を示す数値データを抽出し、ＲＯＭ１２１に予め記憶されて用意されたリーチ組合せの飾り図柄決定テーブルを参照することなどにより、確定飾り図柄（リーチ組合せの飾り図柄）を決定する。
【００５９】
ステップＳ５５２の処理にて特図表示結果が「ハズレ」ではないと判定した場合（ステップＳ５５２；Ｎｏ）、演出制御用ＣＰＵ１２０は、大当り組合せを構成する最終停止図柄となる確定飾り図柄の組合せを決定する（ステップＳ５５７）。演出制御用ＣＰＵ１２０は、例えば、乱数回路１２４または演出用ランダムカウンタ等により更新される大当り確定図柄決定用の乱数値を示す数値データを抽出する。続いて、主基板１１から伝送された表示結果指定コマンドによって特定される大当り種別に応じて、ＲＯＭ１２１に予め記憶されて用意された大当り確定図柄決定テーブルを参照することなどにより、画像表示装置５の表示領域における「左」、「中」、「右」の飾り図柄表示エリア５Ｌ、５Ｃ、５Ｒに揃って停止表示される図柄番号が同一の飾り図柄を決定する。
【００６０】
また、ステップＳ５５４、Ｓ５５５、及びＳ５５７の各処理において、変動パターンが擬似連変動パターンの場合には、演出制御用ＣＰＵ１２０は、仮停止表示される飾り図柄（仮停止図柄）の組合せも決定する。演出制御用ＣＰＵ１２０は、例えば、乱数回路１２４または演出用ランダムカウンタ等により更新される仮停止図柄決定用の乱数値を示す数値データを抽出し、ＲＯＭ１２１に予め記憶されて用意された仮停止図柄決定テーブルを参照することなどにより、仮停止図柄（ハズレ組合せの飾り図柄）を決定する。
【００６１】
ステップＳ５５５、Ｓ５５７の処理のいずれかを実行した後、演出制御用ＣＰＵ１２０は、所定演出を実行するか否かなどを決定する所定演出実行設定処理を行う（ステップＳ５５８）。所定演出は、有利状態の一例としての大当りとなる可能性を報知する演出である。具体的に、この実施の形態における所定演出は、ノーマルリーチの期間に行われる演出であり、リーチを構成する飾り図柄（例えば飾り図柄５ｌ、５ｒ）以外の変動中の飾り図柄（例えば飾り図柄５ｃ）を透過表示し、当該透過表示された変動中の飾り図柄５ｃから視認可能な背景画像を、表示中の背景画像とは異なる特別画像（動画像）とする演出である（図１１参照）。変動中の飾り図柄５ｃ内から動画像である特別画像を視認可能とすることで、共に異なる動きのある演出を提供でき、遊技興趣を向上させることができる。なお、所定演出として特別画像を視認可能となる部分は飾り図柄５ｃ内から視認できる部分のみであり、視認できるのは特別画像の一部である（すなわち、透過表示される領域が大きい程特別画像の視認領域も大きくなる）。
【００６２】
図９は、図８のステップＳ５５８にて実行される所定演出実行設定処理の一例を示すフローチャートである。図９に示す所定演出実行設定処理において、演出制御用ＣＰＵ１２０は、まず、図１０（Ａ）に示す所定演出実行決定テーブルを参照して、所定演出の実行有無と種類を決定する（ステップＳ５８１）。図１０（Ａ）は、所定演出実行決定テーブルの構成例を示す図である。この実施の形態では、図示するように、所定演出を実行しないことを示す「実行無し」の他、「演出Ａ」、「演出Ｂ」、「演出Ｃ」といった種類の所定演出が設定されている。なお、ステップＳ５８１の処理では、所定演出の実行期間（所定演出期間）も合わせて決定される。
【００６３】
演出Ａ〜Ｃは、各々異なる態様の演出として定められている。この実施の形態では、例えば、「演出Ａ」はキャラクタＡが表示される動画像、「演出Ｂ」はキャラクタＢが表示される動画像、「演出Ｃ」はキャラクタＣが表示される動画像、として定められている。なお、所定演出の種類および態様はこれらに限らず、各々は任意であり、メッセージ表示の態様や、同一キャラクタの動作が異なるなどといった態様であってもよい。また、所定演出は１種のみであってもよい。
【００６４】
図１０（Ａ）に示すように、この実施の形態における所定演出実行決定テーブルでは、所定演出が実行された場合の方が、実行されない場合よりもスーパーリーチや大当りとなる可能性が高くなるように設定されている。また、所定演出が実行された場合に、演出Ａよりも演出Ｂの方が、演出Ｂよりも演出Ｃの方が、大当りとなる可能性が（大当り信頼度が）高くなるように設定されている。そのため、所定演出が実行されるか否か、および実行される場合における所定演出の種類について、遊技者の注目を集めることができる。なお、このように、所定演出の実行有無と種類とを一度に決定する構成でなくともよく、所定演出の実行有無と種類とを別々に決定する構成としてもよい。また、特定の大当り時の変動パターンが決定された場合には、特定の種類の所定演出が必ず実行されるように構成することで、大当り確定となる種類の所定演出があってもよい。
【００６５】
ステップＳ５８１の処理を実行した後、演出制御用ＣＰＵ１２０は、ステップＳ５８１にて所定演出の実行を決定したか否かを判定する（ステップＳ５８２）。所定演出を実行しないと決定した場合（ステップＳ５８２；Ｎｏ）、演出制御用ＣＰＵ１２０は、そのまま所定演出実行設定処理を終了する。一方、所定演出を実行すると決定した場合（ステップＳ５８２；Ｙｅｓ）、演出制御用ＣＰＵ１２０は、例えば、図１０（Ｂ）に示す示唆演出決定テーブルを参照して、主基板１１から伝送された変動パターン指定コマンド（変動パターン指定コマンド格納領域に格納されているコマンド）により指定された変動パターンに応じて、実行する示唆演出の種類を決定し（ステップＳ５８３）、所定演出実行設定処理を終了する。示唆演出は、所定演出の終了時に行われる演出であり（図１１参照）、スーパーリーチに発展する可能性を、特殊画像を表示することにより示唆する演出である。なお、ステップＳ５８３の処理では、示唆演出の種類に応じて示唆演出の実行期間も決定される。示唆演出の実行期間は、示唆演出の種類に応じて異なっていてもよいし、同一であってもよい。また、この実施の形態では、示唆演出が所定演出の一部である例を示しているが、所定演出と示唆演出はそれぞれ別々の演出として、個別に実行するか否かを決定してもよい。なお、示唆演出は、大当りとなることを示唆する演出であってもよいし、確変や時短状態に制御される可能性などを示唆する演出であってもよい。また、示唆演出は、所定演出の終了時でなくとも、所定演出の開始時や中盤に行われてもよい。また、複数のタイミングのうちいずれかのタイミングで行われてもよい。これによれば、示唆演出の実行タイミングに対する遊技者の注目を集めることができる。
【００６６】
図１０（Ｂ）は、示唆演出決定テーブルの構成例を示す図である。図示するように、この実施の形態では、示唆演出として、示唆Ａと示唆Ｂの２態様が用意されている。なお、示唆Ａは、図１３（ｅ）に示すように、飾り図柄５ｃを拡大表示する態様であり、示唆Ｂは図１４（ｄ）および（ｅ）に示すように、特殊画像（特別画像とは異なる画像）として一旦飾り図柄５ｃを非透過の態様で表示した後に再度透過して拡大表示する態様である。図１０（Ｂ）に示すように、この実施の形態における示唆演出決定テーブルでは、示唆Ｂの示唆演出が実行された場合の方が、示唆Ａの示唆演出が実行された場合よりもスーパーリーチに発展する可能性が高くなるように設定されている。なお、図示する例では、示唆Ａと示唆Ｂの２種類の態様を示しているが、この他にも、例えば、図１４（ｄ）と（ｅ）を交互に繰り返し表示する示唆Ｃの態様があってもよい。このように図１４（ｄ）と（ｅ）を交互に繰り返し表示する態様の示唆演出を設けることで、より遊技者の注目を集めることができる。なお、示唆Ｂの示唆演出では、飾り図柄５ｃを特殊画像として非透過の態様で表示する例を示したが、飾り図柄５ｃを透過させたまま、特別画像とは異なる画像を特殊画像として表示してもよい。
【００６７】
図８に戻り、ステップＳ５５８の所定演出実行設定処理を実行した後、演出制御用ＣＰＵ１２０は、演出制御パターンを予め用意された複数パターンのいずれかに決定する（ステップＳ５６０）。演出制御用ＣＰＵ１２０は、例えば、変動パターン判定結果指定コマンドで示された変動パターンやステップＳ５５８で決定した所定演出などに対応して（例えば図９のステップＳ５８１の処理にて決定した所定演出の種類に応じて）、複数用意された演出制御パターン（特図変動時演出制御パターン）のいずれかを選択し、使用パターンとしてセットする。
【００６８】
ステップＳ５６０の処理に続いて、演出制御用ＣＰＵ１２０は、例えば、変動パターン判定結果指定コマンドにより指定された変動パターンに対応して、ＲＡＭ１２２の所定領域（演出制御タイマ設定部など）に設けられた演出制御プロセスタイマの初期値を設定する（ステップＳ５６１）。そして、画像表示装置５の表示画面上において飾り図柄などの変動を開始させるための設定を行う（ステップＳ５６２）。このとき、演出制御用ＣＰＵ１２０は、例えば、ステップＳ５６０の処理において決定された演出制御パターン（特図変動時演出制御パターン）に含まれる表示制御データが指定する表示制御指令を表示制御部１２３のＶＤＰに対して伝送させることなどにより、画像表示装置５の表示領域に設けられた「左」、「中」、「右」の各飾り図柄表示エリア５Ｌ、５Ｃ、５Ｒにおいて飾り図柄５ｌ、５ｃ、５ｒの変動を開始させればよい。
【００６９】
ステップＳ５６２の処理を実行した後、演出制御用ＣＰＵ１２０は、演出プロセスフラグの値を可変表示中演出処理に対応した値である「２」に更新してから（ステップＳ５６３）、可変表示開始設定処理を終了する。
【００７０】
図１１は、所定演出の実行タイミングなどを示すタイミングチャートである。図１１（ａ）に示すように、変動開始前は、飾り図柄５ｃは停止表示されており（飾り図柄５ｌおよび５ｒも同様）、図１１（ｂ）に示すように変動が開始されると、飾り図柄５ｃは下方向にスクロール表示される（飾り図柄５ｌおよび５ｒも同様）。そして、図１１（ｃ）に示すようにリーチが成立すると、所定演出期間となり、リーチを構成する飾り図柄５ｌおよび５ｒ以外の飾り図柄５ｃが透過表示される（飾り図柄５ｌおよび５ｒは非透過表示のままである）。そして、表示中の背景画像のうち、飾り図柄５ｃに重畳する部分が切り取られる（カットされる）ことで、背景画像の裏側のレイヤー（遊技者にとって奥側）に表示されている特別画像（動画像）が視認可能となる。したがって飾り図柄５ｃの表示位置や種類（形状）に応じて視認可能な特別画像の領域が変化するため、遊技興趣を向上させることができる。その後、示唆演出が実行され、図１１（ｄ）に示すようにスーパーリーチに発展し、変動が停止される。なお、所定演出では、変動に伴って徐々に飾り図柄５ｃが拡大表示されるとともに（リーチを構成する飾り図柄５ｌおよび５ｒは拡大表示されない）、切り取られる背景画像の部分も大きくなる。例えば、ノーマルリーチにおいて、リーチを構成する図柄と同一の図柄が３回スクロール表示される場合、３回目のスクロール表示に向けて徐々に飾り図柄５ｃを拡大すればよい。これにより、特別画像の視認可能な部分が徐々に拡大されるため、演出効果が高まり遊技興趣を向上させることができる。また、所定演出の開始時から飾り図柄５ｃを、リーチを構成する飾り図柄５ｌおよび５ｒよりも拡大して表示してもよいし、所定演出開始時には飾り図柄５ｌおよび５ｒと同一サイズとしておき、変動に伴って徐々に拡大してもよい。また、変動に伴って徐々に飾り図柄５ｃが拡大表示されるとしたが、確定飾り図柄５ｃが導出表示された場合は、拡大表示を終了するとともに、飾り図柄５ｌおよび５ｒと同一サイズで表示するようにしてもよい。これによれば、遊技者は所定演出が終了したことを容易に把握できる。
【００７１】
図１２は、図７のステップＳ１７２において実行される可変表示中演出処理の一例を示すフローチャートである。図１２に示す可変表示中演出処理を開始すると、演出制御用ＣＰＵ１２０は、まず、演出制御プロセスタイマのタイマ値などに基づいて、変動パターンに対応した可変表示時間が経過したか否かを判定する（ステップＳ８０１）。演出制御用ＣＰＵ１２０は、例えば、演出制御プロセスタイマのタイマ値を更新（例えば、１減算）し、更新後の演出制御プロセスタイマ値に対応して演出制御パターンから終了コードが読み出されたときなどに、可変表示時間が経過したと判定すればよい。
【００７２】
ステップＳ８０１にて可変表示時間が経過していないと判定した場合（ステップＳ８０１；Ｎｏ）、演出制御用ＣＰＵ１２０は、図柄態様変化演出期間であるか否かを判定する（ステップＳ８０２）。図柄態様変化演出期間は、図８のステップＳ５５８の処理にて変動中予告を行うと決定された場合に、当該変動中予告に応じて決定された演出制御パターンにおいて、予め定められていればよい。なお、図柄態様変化演出期間の始期は、可変表示の実行開始直後（例えば数秒後）に定められている。
【００７３】
図柄態様変化演出期間であると判定した場合（ステップＳ８０２；Ｙｅｓ）、演出制御用ＣＰＵ１２０は、リーチ演出を実行するためのリーチ演出期間であるか否かを判定する（ステップＳ８０４）。リーチ演出期間は、例えば、変動パターンに応じて決定された演出制御パターンにおいて、予め定められていればよい。リーチ演出期間であると判定した場合（ステップＳ８０４；Ｙｅｓ）、演出制御用ＣＰＵ１２０は、リーチ演出用の背景画像を表示するなど、リーチ演出を実行するための制御を行う（ステップＳ８０５）。
【００７４】
ステップＳ８０５の処理の実行後、演出制御用ＣＰＵ１２０は、所定演出期間であるか否かを判定する（ステップＳ８０６）。当該所定演出期間の始期は、図９のステップＳ５８１の処理にて決定された所定演出の実行タイミングであり、当該演出期間の長さは、ステップＳ５８１の処理にて決定した所定演出の種類に応じて図８のステップＳ５６０処理にて決定された演出制御パターンにおいて予め定められていればよい。所定演出期間であると判定した場合（ステップＳ８０６；Ｙｅｓ）、演出制御用ＣＰＵ１２０は、所定演出の演出制御を実行する（ステップＳ８０７）。これにより、演出Ａ〜Ｃのいずれかの所定演出が実行される。なお、この実施の形態における示唆演出は、所定演出に含まれているため、ステップＳ８０７の処理により、示唆演出の実行期間となると、図９のステップＳ５８３の処理にて決定した示唆演出が実行される。
【００７５】
ステップＳ８０７の処理の実行後、所定演出期間でないと判定した場合（ステップＳ８０６；Ｎｏ）、またはリーチ演出期間でないと判定した場合（ステップＳ８０４；Ｎｏ）、演出制御用ＣＰＵ１２０は、変動パターンに対応して決定された演出制御パターンにおける設定などに基づいて、その他、飾り図柄の可変表示動作を含めた可変表示中における演出を実行するための制御を行い（ステップＳ８０８）、可変表示中演出処理を終了する。
【００７６】
ステップＳ８０１にて可変表示時間が経過したと判定した場合（ステップＳ８０１；Ｙｅｓ）、主基板１１から伝送される図柄確定コマンドの受信があったか否かを判定する（ステップＳ８０９）。このとき、図柄確定コマンドの受信がなければ（ステップＳ８０９；Ｎｏ）、可変表示中演出処理を終了して待機する。
【００７７】
ステップＳ８０９にて図柄確定コマンドの受信があった場合（ステップＳ８０９；Ｙｅｓ）、演出制御用ＣＰＵ１２０は、例えば、表示制御部１２３のＶＤＰ等に対して所定の表示制御指令を伝送させることといった、飾り図柄の可変表示において表示結果となる最終停止図柄（確定飾り図柄）を導出表示させる制御を行う（ステップＳ８１０）。続いて、大当り開始指定コマンド受信待ち時間として予め定められた一定時間を設定する（ステップＳ８１１）。次に、演出制御用ＣＰＵ１２０は、演出プロセスフラグの値を特図当り待ち処理に対応した値である「３」に更新し（ステップＳ８１２）、可変表示中演出処理を終了する。
【００７８】
続いて図１３および図１４を参照して、所定演出が実行される場合の演出動作例について説明する。具体的に、図１３では、所定演出として示唆Ａの示唆演出が行われスーパーリーチに発展せず大当りとなる例を示しており、図１４では、所定演出として示唆Ｂの示唆演出が行われスーパーリーチに発展する例を示している。図１３（ａ）に示すように、リーチが成立すると、リーチを構成する飾り図柄５ｌおよび５ｒを非透過のままとし、リーチを構成する飾り図柄以外の変動中の飾り図柄５ｃが透過表示される。そして、上述したように、特別画像が視認可能となる。そして、図１３（ｂ）、（ｃ）、及び（ｄ）に示すように、変動に伴って徐々に飾り図柄５ｃが拡大表示され、これに伴い特別画像の視認領域も拡大表示される。続いて示唆演出期間となると、図１３（ｅ）に示すように、飾り図柄５ｃを図１３（ｄ）に示す状態からさらに拡大表示させる示唆Ａの示唆演出が実行される。図１３に示す例では、上述したようにスーパーリーチに発展せず大当りとなる例を示しているため、図１３（ｆ）に示すように、大当りとなる飾り図柄が確定し、変動が終了する。
【００７９】
また、示唆Ｂの示唆演出が行われ、スーパーリーチに発展する場合は、リーチが成立し所定演出として図１３（ａ）〜（ｃ）の演出動作が行われ、続いて図１４（ａ）〜図１４（ｃ）の演出動作が行われる。そして、図１４（ｄ）および（ｅ）に示すように、一旦飾り図柄５ｃを非透過の態様で表示した後に再度透過させて拡大表示させる示唆Ｂの示唆演出が行われる。その後図１４（ｆ）に示すように、所定演出が終了してスーパーリーチに発展する。なお、図１４（ｆ）に示す例では、スーパーリーチとして「３」と「４」のダブルリーチに発展した例を示している。
【００８０】
この発明は上記実施形態に限定されず、様々な変形及び応用が可能である。例えばパチンコ遊技機１は、上記実施形態で示した全ての技術的特徴を備えるものでなくてもよく、従来技術における少なくとも１つの課題を解決できるように、上記実施形態で説明した一部の構成を備えたものであってもよい。
【００８１】
上記実施の形態では、ノーマルリーチの期間に所定演出が行われる例を示したが、これは一例であり、擬似連変動の期間に所定演出が行われてもよい。そして、擬似連変動の回数に関わらず、所定演出は、複数回の擬似連変動にわたって行われてもよい。
【００８２】
図１５は、擬似連変動が行われる可変表示パターンにおいて所定演出が実行される場合のタイミングチャートを示している。具体的に、擬似連変動が１回行われ、所定演出実行後にスーパーリーチに発展する場合の例を示している。なお、図示する例では、説明をわかりやすくするため、擬似連変動の回数（再変動の回数）は１回ではあるが、初回の変動（仮停止としてチャンス目が停止するまでの変動）を擬似連第１変動とし、再変動を擬似連第２変動として示している。
【００８３】
図１５に示すように、擬似連変動において所定演出を実行する場合、リーチ状態となったタイミング（リーチが成立したタイミング）で所定演出を開始し、擬似連第１変動の終了時、すなわち、チャンス目が仮停止表示されるタイミングで一旦透過表示した飾り図柄５ｃを非透過で表示すればよい。そして、再変動として擬似連第２変動の開始時に再度透過させ所定演出を実行すればよい。なお、例えば、擬似連第１変動では演出Ａの所定演出を実行し、擬似連第２変動では演出Ｂの所定演出を実行するなど、各変動に応じて異なる態様の所定演出を実行してもよい。この場合、再変動の回数が増加するほど遊技者にとって有利な態様の所定演出が実行されればよい。そして、擬似連第２変動終了時に示唆演出を実行し、スーパーリーチに発展すればよい。なお、図示する例では、擬似連第２変動終了時に示唆演出を実行する例を示しているが、これは、擬似連変動の回数（再変動の回数）が１回であることによるものであり、例えば、擬似連変動の回数（再変動の回数）が２回であれば、擬似連第３変動終了時に示唆演出を実行すればよい。
【００８４】
図１６は、図１５のタイミングチャートに対応する、擬似連変動において所定演出を実行する場合における演出動作例を示す図である。擬似連第１変動にてリーチ状態となったタイミング（リーチが成立したタイミング）で所定演出を開始し、図１６（ａ）および（ｂ）に示すように、リーチを構成する飾り図柄５ｌおよび５ｒを非透過のままとし、リーチを構成する飾り図柄以外の変動中の飾り図柄５ｃが透過表示され、特別画像が視認可能となる。そして、擬似連第１変動を終了してチャンス目を仮停止表示すると、図１６（ｃ）に示すように、一旦飾り図柄５ｃを非透過とする。その後、図１６（ｄ）に示すように再度飾り図柄５ｃを透過表示して特別画像を視認可能とし、擬似連第２変動を行う。そして、擬似連第２変動を終了してチャンス目を仮停止表示させ、一旦飾り図柄５ｃを非透過の態様で表示した後に再度透過させて拡大表示させる示唆Ｂの示唆演出が行われる。その後図１６（ｇ）に示すように、所定演出が終了してスーパーリーチに発展する。
【００８５】
なお、図１５および図１６に示す例では、擬似連変動のうち、リーチ状態となったタイミングで所定演出を行う例を示したが、リーチ状態とは無関係に所定演出を実行してもよい。例えば、擬似連第１変動が終了して擬似連第２変動が開始されるタイミングで所定演出を実行してもよい。この場合、一旦擬似連第１変動にてチャンス目が仮停止表示された後、全ての飾り図柄の変動が再開されるが、全ての飾り図柄を透過表示させ特別画像を視認可能とすればよい。なお、全ての飾り図柄でなくとも、一部の飾り図柄のみ透過表示させてもよい。また、例えば、再変動されることを示す「ＮＥＸＴ」などの特殊図柄については、常に非透過とすることが望ましい。
【００８６】
また、擬似連変動の他、先読み演出として所定演出を実行してもよい。先読み予告演出は、例えば、予告対象となる可変表示（ターゲット変動）が開始されるより前に、始動入賞の発生による特図ゲームの保留記憶に基づいて複数回実行される飾り図柄の可変表示にわたって連続して先読みチャンス目（例えば、擬似連チャンス目とは異なる組合せであって、ハズレ組合せの飾り図柄など）を停止表示することにより、予告対象となる可変表示の可変表示結果が「大当り」となる可能性などを予告する演出である。例えば、先読み予告演出は、複数回の特図ゲームに対応して複数回実行される飾り図柄の可変表示にわたり連続して予告する。先読み予告演出を実行する場合は、ステップＳ１２の入賞時乱数の判定処理において、遊技球が始動入賞口（第１始動入賞口または第２始動入賞口）にて検出された始動入賞タイミングで、当該タイミングで抽出された乱数値の実行対象の可変表示の可変表示結果が「大当り」になるか否かの判定）や、飾り図柄の可変表示の変動パターンがどれになるかの判定などを行う（いわゆる「先読み」）。また、前述のコマンド解析処理において、始動入賞時受信コマンドバッファに格納される始動入賞時コマンドに基づいて、先読み予告演出を実行するか否かや、実行する場合における先読み予告演出態様パターンが決定される。このとき、始動入賞時のコマンドに取りこぼしや不整合が発生した場合には、それらのコマンドに対応する保留情報の可変表示が実行（消化）されるまで、先読み予告演出の設定が行われないように制限される。この場合、例えば、ＲＡＭ１２２の所定領域に設けられた先読み予告制限フラグをセットする。そして、例えば、演出制御用ＣＰＵ１２０は図７のステップＳ１７０〜Ｓ１７５の実行前に保留表示設定処理を実行し、保留表示設定処理において、始動入賞時コマンドを受信した場合に、（ｉ）先読み予告演出が実行中で無く、（ｉｉ）先読み予告演出が制限中で無く、（ｉｉｉ）保留記憶数が例えば「３」または「４」であり、かつ、従前の保留記憶に対応する変動パターン判定結果指定コマンドが非リーチハズレに対応する変動パターンを指定するものであれば、先読み予告演出の実行の有無、およびターゲット変動が実行されるまでの複数回の可変表示において停止表示させる先読みチャンス目パターンを決定すればよい。例えば、可変表示結果および変動パターンに応じて、ＲＯＭ１０１の所定領域に予め記憶されている先読み予告演出の実行決定や、先読みチャンス目決定のためのテーブルを参照して決定すればよい。そして、例えば、可変表示開始設定処理におけるステップＳ５５４、Ｓ５５５、Ｓ５５７のいずれかの処理の実行後、演出制御用ＣＰＵ１２０は、先読み予告演出を実行するための実行設定を実行すればよい。例えば、先読み予告実行カウンタ値と先読みチャンス目パターンに基づいて、今回の可変表示において停止させる先読みチャンス目を特定すればよい。
【００８７】
先読み予告演出として所定演出を実行する場合には、例えば、第１変動、第２変動、ターゲット変動といった複数変動に亘って実行すればよい。この場合は、リーチ状態とは無関係に飾り図柄の一部または全てを透過表示させ、各変動の終了時に非透過とすればよい。また、ターゲット変動時にのみ示唆演出を実行すればよい。
【００８８】
なお、上記実施の形態では、所定演出において、リーチを構成する飾り図柄（例えば飾り図柄５ｌ、５ｒ）以外の変動中の飾り図柄（例えば飾り図柄５ｃ）を透過表示する例を示したが、これは一例である。飾り図柄５ｃに加え、飾り図柄５ｌ、５ｒの一方または両方も透過表示してもよい。この場合、透過表示される飾り図柄の数が多いほど、大当りとなる期待度が高くなるようにすればよい。
【００８９】
また、上記実施の形態では、所定演出において、表示中の背景画像のうち、飾り図柄５ｃに重畳する部分を切り取る（カットする）ことで、背景画像の裏側のレイヤー（遊技者にとって奥側）に表示されている特別画像（動画像）を視認可能とする例を示したが、これは一例である。これとは別に、飾り図柄５ｃに特別画像としての動画像を表示してもよい。また、表示中の背景画像のうち、飾り図柄５ｃに重畳する部分の透過度を高めて透過させることで、背景画像の裏側のレイヤーに表示されている特別画像を視認可能としてもよい。飾り図柄５ｃ以外の飾り図柄を透過表示する場合にも同様である。また、上記実施の形態では特別画像が動画像である例を示したが、特別画像は静止画像であってもよい。
【００９０】
以上の説明では、所定演出や先読み予告が有利状態の一例としての「大当り」となる可能性などを予告するものとして説明したが、予告対象の有利状態はこれに限られない。例えば、当該有利状態は、確変制御が行われる確変状態、時短制御が行われる時短状態といった遊技者にとって有利な任意の状態であればよいし、スーパーリーチに発展するなどといった「大当り」となる可能性が高い演出が行われることであってもよい。
【００９１】
以上の説明では、変動時間及びリーチ演出の種類や擬似連の有無等の変動態様を示す変動パターンを演出制御基板１２側に通知するために、変動を開始するときに１つの変動パターンコマンドを送信する例を示したが、２つ乃至それ以上のコマンドにより変動パターンを演出制御基板１２側に通知する様にしてもよい。具体的には、２つのコマンドにより通知する場合、遊技制御マイクロコンピュータ１００は、１つ目のコマンドでは擬似連の有無等、リーチとなる以前（リーチとならない場合には所謂第２停止の前）の変動時間や変動態様を示すコマンドを送信し、２つ目のコマンドではリーチの種類や再抽選演出の有無等、リーチとなった以降（リーチとならない場合には所謂第２停止の後）の変動時間や変動態様を示すコマンドを送信する様にしてもよい。この場合、演出制御基板１２側は２つのコマンドの組合せから導かれる変動時間にもとづいて変動表示における演出制御を行うようにすればよい。尚、遊技制御用マイクロコンピュータ１００の方では２つのコマンドのそれぞれにより変動時間を通知し、それぞれのタイミングで実行される具体的な変動態様については演出制御基板１２側で選択を行う様にしてもよい。２つのコマンドを送る場合、同一のタイマ割込内で２つのコマンドを送信する様にしてもよく、１つ目のコマンドを送信した後、所定期間が経過してから（例えば次のタイマ割込において）２つ目のコマンドを送信する様にしてもよい。尚、それぞれのコマンドで示される変動態様はこの例に限定されるわけではなく、送信する順序についても適宜変更可能である。
【００９２】
また、第１特別図柄表示装置４Ａや第２特別図柄表示装置４Ｂにおいて表示される可変表示結果や可変表示される特別図柄は、「０」〜「９」を示す数字や「−」を示す記号等から構成されるものに限定されない。例えば、特別図柄の可変表示中の点灯パターンには、ＬＥＤを全て消灯したパターンが含まれてもよく、全て消灯したパターンと少なくとも一部のＬＥＤを点灯させた１つのパターン（例えば、ハズレ図柄）とを交互に繰り返すものも特別図柄の可変表示に含まれる（この場合、前記１つのパターン（例えば、ハズレ図柄）が点滅して見える）。また、可変表示中に表示される特別図柄と、可変表示結果として表示される特別図柄とは、異なるものでもよい。特別図柄の可変表示として、例えば、「−」を点滅させる表示を行ない、可変表示結果として、それ以外の特別図柄（「大当り」であれば「７」、「ハズレ」であれば「１」など）を表示することも特別図柄の可変表示に含まれる。また、一種類の飾り図柄を点滅表示またはスクロール表示することなども飾り図柄の可変表示に含まれる。
【００９３】
なお、上記の実施形態では、割合（決定割合等を含む。確率についても同じ）などは、０割を含むものであってもよい。つまり、割合は０〜１０割の間であればよい。例えば、一方の割合と他方の割合とを異ならせるとは、一方の割合を例えば３割として、他方の割合を７割とする他、一方の割合を例えば０割として、他方の割合を１０割とすることも含む。また、一方の割合と他方の割合との合算が１０割とならなくてもよい（一方と他方とのいずれにも含まれないものが存在して、所定割合を有してもよい）。また、一方の割合よりも他方の割合の方が高い割合とする場合には、一方の割合を０割とし、他方の割合を１０割とすることを含む。これらは、割合を規定するテーブルの内容などによって規定されればよい。
【００９４】
また、パチンコ遊技機１は、特別図柄の可変表示結果として、所定の数字を示す大当り図柄が導出表示されたときには大当り種別が「確変」となる確変制御を行うものに限られず、例えば、遊技領域に設けられたアタッカー内の特定領域を遊技球が通過したことに基づいて確変制御が行われる、確変判定装置型のパチンコ遊技機でもよい。
【００９５】
また、以上では、メイン側で先読み判定をしてその判定結果に対応したコマンドをサブ側に送信した例を説明したが、メイン側から乱数値を示すコマンドを送信してサブ側で先読み判定をするようにしてもよい。
【００９６】
また、本発明の遊技機は、入賞の発生に基づいて所定数の遊技媒体を景品として払い出す払出式遊技機に限定されず、遊技媒体を封入し入賞の発生に基づいて得点を付与する封入式遊技機にも適用することができる。なお、同様にスロットマシンでもよい。
【００９７】
本発明を実現するためのプログラムおよびデータは、例えばパチンコ遊技機１やスロットマシンといった、遊技機に含まれるコンピュータ装置などに対して、着脱自在の記録媒体により配布・提供される形態に限定されるものではなく、予めコンピュータ装置などの有する記憶装置にプリインストールしておくことで配布される形態でもよい。さらに、当該プログラムおよびデータは、通信回線等を介して接続されたネットワーク上の、他の機器からダウンロードすることによって配布する形態でもよい。
【００９８】
そして、ゲームの実行形態も、着脱自在の記録媒体を装着することにより実行するものだけではなく、通信回線等を介してダウンロードしたプログラムおよびデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態としてもよい。
【００９９】
（１）以上に説明したパチンコ遊技機１によれば、演出制御用ＣＰＵ１２０が、変動中の飾り図柄を透過表示し、当該透過表示された変動中の飾り図柄から視認可能な背景画像を、表示中の背景画像とは異なる特別画像（動画像）の一部とする所定演出を実行する。これによれば、演出効果を高め遊技興趣を向上させることができる。
【０１００】
（２）また、変動中の飾り図柄を透過表示することから、透過表示した飾り図柄の表示位置や種類（形状）に応じて視認可能な特別画像の領域が変化する。したがって遊技興趣を向上させることができる。
【０１０１】
（３）また、所定演出実行決定テーブルでは、所定演出が実行された場合、演出Ａよりも演出Ｂの方が、演出Ｂよりも演出Ｃの方が、大当りとなる可能性が（大当り信頼度が）高くなるように設定されている。そして、演出制御用ＣＰＵ１２０は、演出Ａ〜Ｃの何れかの種類の所定演出を実行する。したがって、実行される所定演出の種類、すなわち視認可能となる特別画像の種類に応じて大当りとなる可能性が異なるため、視認可能となる特別画像の種類に対する遊技者の注目を集めることができ、遊技興趣を向上させることができる。
【０１０２】
（４）また、所定演出にて視認可能となる特別画像は動画像の一部である。したがって、変動中の飾り図柄５ｃに加え、視認可能な特別画像にも動きが生じさせることができ、遊技興趣を向上させることができる。
【０１０３】
（５）また、演出制御用ＣＰＵ１２０は、所定演出として、リーチを構成する飾り図柄（例えば飾り図柄５ｌ、５ｒ）以外の変動中の飾り図柄（例えば飾り図柄５ｃ）を透過表示し、飾り図柄５ｌおよび５ｒは非透過のまま表示する。したがってリーチ態様において最終的に変動中の飾り図柄を透過させることで遊技者に所定演出を認識しやすくすることができるとともに、注目すべき部分を明確にすることができる。
【０１０４】
（６）また、演出制御用ＣＰＵ１２０は、所定演出として、リーチを構成する飾り図柄（例えば飾り図柄５ｌ、５ｒ）以外の変動中の飾り図柄（例えば飾り図柄５ｃ）を透過表示するとともに、リーチを構成する飾り図柄５ｌおよび５ｒよりも拡大して表示する。したがって、特別画像を視認しやすくすることができる。
【０１０５】
（７）また、演出制御用ＣＰＵ１２０は、所定演出の終了時に、スーパーリーチに発展する可能性などを、特殊画像を表示することにより示唆する示唆演出を実行する。したがって、演出効果をさらに高めることができ遊技興趣を向上させることができる。
【符号の説明】
【０１０６】
１…パチンコ遊技機、５…画像表示装置、５Ｌ，５Ｃ，５Ｒ…飾り図柄表示エリア、１１…主基板、１２…演出制御基板、１００…遊技制御用マイクロコンピュータ、１０３…ＣＰＵ、１２０…演出制御用ＣＰＵ、１２３…表示制御部
【図１】
2017148380.tif 000003
【図２】
2017148380.tif 000004
【図３】
2017148380.tif 000005
【図４】
2017148380.tif 000006
【図５】
2017148380.tif 000007
【図６】
2017148380.tif 000008
【図７】
2017148380.tif 000009
【図８】
2017148380.tif 000010
【図９】
2017148380.tif 000011
【図１０】
2017148380.tif 000012
【図１１】
2017148380.tif 000013
【図１２】
2017148380.tif 000014
【図１３】
2017148380.tif 000015
【図１４】
2017148380.tif 000016
【図１５】
2017148380.tif 000017
【図１６】
2017148380.tif 000018